(57)【要約】【課題】積層した状態で使用してもディスク状の情報記録媒体の品質を維持する。【解決手段】外径側と内径側とを有するディスク状の情報記録媒体１０は、所定の厚みを有する基板１１、基板１１の一方の面である第１面、基板１１の他方の面である第２面、基板１１の中央を貫通する貫通孔１２を形成した円筒部１３、円筒部１３の外径を囲むようにして形成され、基板１１の所定の厚みよりも薄く形成された肉薄部１３０、肉薄部１３０に形成された非傾斜面１３４、及び肉薄部１３０において非傾斜面１３４の外径側に形成され、非傾斜面１３４に対し所定の角度で傾斜し、肉薄部１３０における占有率が非傾斜面１３４よりも大きい傾斜面１３２を備える。【選択図】図２
2014053067.tif 000002
【特許請求の範囲】
【請求項１】
外径側と内径側とを有するディスク状の情報記録媒体であって、
所定の厚みを有する基板、
前記基板の一方の面である第１面、
前記基板の他方の面である第２面、
前記基板の中央を貫通する貫通孔を形成した円筒部、
前記円筒部の外径を囲むようにして形成され、前記所定の厚みよりも薄く形成された肉薄部、
前記肉薄部に形成された非傾斜面、及び
前記肉薄部において前記非傾斜面の外径側に形成され、前記非傾斜面に対し所定の角度で傾斜し、前記肉薄部における占有率が前記非傾斜面よりも大きい傾斜面、
を備える、情報記録媒体。
【請求項２】
更に、前記非傾斜面と前記傾斜面との間に形成された曲率部、
を備える、請求項１に記載の情報記録媒体。
【請求項３】
更に、前記傾斜面と前記肉薄部が形成されていない面との間に形成された曲率部、
を備える、請求項１又は２に記載の情報記録媒体。
【請求項４】
前記非傾斜面は、水平面又は垂直面である、
請求項１から３のいずれかに記載の情報記録媒体。
【請求項５】
更に、前記第１面及び前記第２面のうち少なくとも一方において、前記肉薄部の外径側に形成され、前記第１面及び前記第２面のうち少なくとも一方より突出する突出部、
を備える、請求項１から４のいずれかに記載の情報記録媒体。
【請求項６】
更に、前記第１面及び前記第２面の一方において前記肉薄部の外径側に形成された凹凸形成領域、
を備える、請求項１から５のいずれかに記載の情報記録媒体。
【請求項７】
更に、
前記第１面及び前記第２面の他方において形成されたデータ領域、及び
前記凹凸形成領域に形成され、前記データ領域と前記情報記録媒体における半径位置が重ならないように形成され印字領域、
を備える、請求項６に記載の情報記録媒体。
【請求項８】
前記凹凸形成領域における凹部又は凸部の径は、３．５μｍ〜５．０μｍの範囲内である、
請求項６又は７に記載の情報記録媒体。
【請求項９】
前記凹凸形成領域は、ウレタン樹脂を含む、
請求項６から８のいずれかに記載の情報記録媒体。
【請求項１０】
前記凹凸形成領域は、前記基板の中心から４５ｍｍまでの範囲において形成されている、
請求項６から９のいずれかに記載の情報記録媒体。
【請求項１１】
更に、
前記第１面及び前記第２面の一方において前記肉薄部の外径側に形成された凹凸形成領域、
前記凹凸形成領域に形成された印字領域、及び
前記凹凸形成領域に形成され、前記印字領域の内径側又は外径側に形成された、前記情報記録媒体の記録又は再生時にクランパが当接する領域、
を備える、請求項１から５のいずれかに記載の情報記録媒体。
【請求項１２】
請求項１から１１のいずれかに記載の情報記録媒体、及び
複数の前記情報記録媒体を重ねた状態で格納するケース、
を備える、ディスクカートリッジ。
【請求項１３】
請求項１２に記載のディスクカートリッジ、
前記ディスクカートリッジより前記情報記録媒体を取り出す機構、
取り出した前記情報記録媒体に対し情報の記録又は再生を行う機構、及び
前記情報記録媒体に対する情報の記録又は再生を制御する電気回路、
を備える、情報記録再生装置。
【請求項１４】
外径側と内径側とを有するディスク状の情報記録媒体であって、
所定の厚みを有する基板、
前記基板の一方の面である第１面、
前記基板の他方の面である第２面、
前記基板の中央を貫通する貫通孔を形成した円筒部、
前記円筒部の外径を囲むようにして形成され、前記所定の厚みよりも薄く形成された肉薄部、
前記肉薄部に形成された非傾斜面、
前記肉薄部において前記非傾斜面の外径側に形成され、前記非傾斜面に対し所定の角度で傾斜する傾斜面、
前記第１面及び前記第２面の一方において前記肉薄部の外径側に形成された凹凸形成領域、
前記凹凸形成領域に形成された印字領域、及び
前記第１面及び前記第２面の他方において形成されたデータ領域、
を備え、
前記情報記録媒体が他の情報記録媒体上に重ねられたとき、前記データ領域は、前記他の情報記録媒体の印字領域と重ならないように形成されている、
情報記録媒体。
【請求項１５】
請求項１４に記載の情報記録媒体、及び
複数の前記情報記録媒体を重ねた状態で格納するケース、
を備える、ディスクカートリッジ。
【請求項１６】
請求項１５記載のディスクカートリッジ、
前記ディスクカートリッジより前記情報記録媒体を取り出す機構、
取り出した前記情報記録媒体に対し情報の記録又は再生を行う機構、及び
前記情報記録媒体に対する情報の記録又は再生を制御する電気回路、
を備える、情報記録再生装置。
【発明の詳細な説明】
【技術分野】
【０００１】
本開示は、情報が記録される記録媒体、特にディスク状の記録媒体及び複数のディスク状の記録媒体を積層して格納するディスクカートリッジに関する。
【背景技術】
【０００２】
光ディスクは、基板と、基板の中心部に貫通孔を形成した円筒部とからなる構造を有する。光ディスクには、例えば、円筒部の外径側に、図１５の断面図に示すように切欠部が形成されているものが知られている（例えば、特許文献１参照）。また、光ディスクには一方の面にラベル印字領域を有する光ディスクが知られている（例えば、特許文献２参照）。
【先行技術文献】
【特許文献】
【０００３】
【特許文献１】実開平１−１０３０２２号公報
【特許文献２】特開平５−１９８０１５号公報
【発明の概要】
【発明が解決しようとする課題】
【０００４】
近年、ストレージの大容量化に伴い、複数の光ディスクを積層して収納したディスクカートリッジを利用することが提案されている。しかし、光ディスクは上記のような構造のため、積層した状態で使用すると、ディスク同士の密着や埃等の異物の付着によりその品質を害する可能性がある。
本開示は、情報記録媒体を積層した状態で使用しても品質を保証し得るディスク状の情報記録媒体を提供する。
【課題を解決するための手段】
【０００５】
本開示における情報記録媒体は、外径側と内径側とを有するディスク状の情報記録媒体であって、所定の厚みを有する基板、基板の一方の面である第１面、基板の他方の面である第２面、基板の中央を貫通する貫通孔を形成した円筒部、円筒部の外径を囲むようにして形成され、所定の厚みよりも薄く形成された肉薄部、肉薄部に形成された非傾斜面、及び肉薄部において非傾斜面の外径側に形成され、非傾斜面に対し所定の角度で傾斜し、肉薄部における占有率が非傾斜面よりも大きい傾斜面、を備える。
【０００６】
また、本開示における情報記録媒体は、外径側と内径側とを有するディスク状の情報記録媒体であって、所定の厚みを有する基板、基板の一方の面である第１面、基板の他方の面である第２面、基板の中央を貫通する貫通孔を形成した円筒部、円筒部の外径を囲むようにして形成され、所定の厚みよりも薄く形成された肉薄部、肉薄部に形成された非傾斜面、肉薄部において非傾斜面の外径側に形成され、非傾斜面に対し所定の角度で傾斜する傾斜面、第１面及び第２面の一方において肉薄部の外径側に形成された凹凸形成領域、凹凸形成領域に形成された印字領域、及び第１面及び第２面の他方において形成されたデータ領域、を備える。そして、情報記録媒体が他の情報記録媒体上に重ねられたとき、データ領域は、他の情報記録媒体の印字領域と重ならないように形成されている。
【発明の効果】
【０００７】
本開示におけるディスク状の情報記録媒体は、積層した状態で使用しても情報記録媒体の品質を維持するのに有効である。
【図面の簡単な説明】
【０００８】
【図１】実施の形態１における光ディスクの斜視図
【図２】実施の形態１における光ディスクの中心部の構造を示す断面図
【図３】実施の形態１における積層されてディスクカートリッジに収納される光ディスクの斜視図
【図４】実施の形態１における光ディスクが重なった状態を示す断面図
【図５】光ディスクの情報記録再生装置の概略構成図
【図６】実施の形態１における重なった光ディスクの分離方法の説明図
【図７】実施の形態１における中央円筒部の肉薄部に異物が混入したときの説明図
【図８】実施の形態２における光ディスクの中心部の構造を示す断面図
【図９】実施の形態３における光ディスクの中心部の構造を示す断面図
【図１０】光ディスクの情報記録再生装置におけるクランパの概略構成図
【図１１】光ディスクの情報記録再生装置におけるターンテーブルの概略構成図
【図１２】情報記録再生装置に比較例による光ディスクをセットしたときの説明図
【図１３】情報記録再生装置に実施の形態３における光ディスクをセットしたときの説明図
【図１４】その他実施の形態に係る光ディスクの中心部の構造を示す断面図
【図１５】従来の光ディスクの断面図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図１〜７を用いて、実施の形態１を説明する。
［１−１．構成］
［１−１−１．光ディスク］
図１は、実施の形態１における光ディスク１０（ディスク状の情報記録媒体の一例）の斜視図である。ここで、光ディスクは、例えば、Ｂｌｕ−ｒａｙ（登録商標） Ｄｉｓｃ（ＢＤ）、ＤＶＤ、ＣＤ等である。光ディスク１０は、所定の厚みを有する基板１１（基板の一例）、貫通孔１２を形成する中央円筒部１３（円筒部の一例）を備える。基板１１は、ポリカーボネート等の透明な樹脂で射出成型により形成される。基板１１はまた、第１面（第１面の一例）及び第２面（第２面の一例）を有し、第１面はラベル印字が可能な領域が形成され、第２面には情報を記録するための記録膜が形成される。貫通孔１２は後述するターンテーブル１５０（図５、図１１）に光ディスク１０を装着するために基板１１の中央付近に形成される。図２に示すように、基板１１の第１面側における中央円筒部１３の外径側部分は、基板１１の厚みよりも薄くなった肉薄部１３０（肉薄部の一例）が形成される。なお肉薄部１３０は、通常、情報を記録するための記録膜が形成されていない面、つまり第１面側に形成される。
【００１１】
図２は、実施の形態１における中央円筒部１３の外径側に形成された肉薄部１３０を説明するための基板１１の断面図である。肉薄部１３０は、水平面１３４（非傾斜面の一例）と、水平面１３４に連続して形成される傾斜面１３２（傾斜面の一例）と、水平面１３４の内径側に連続して形成された垂直面１３３（垂直面又は非傾斜面の一例）を有する。水平面１３４は、貫通孔１２の外径から距離ｂまで、肉薄部１３０のない側の面（第２面。図２において下側の面）と平行になるように形成される。傾斜面１３２は、水平面１３４に対して約３０度（２５度〜３５度）の傾斜となるように角度Ｄを有する。つまり、基板１１は、中央円筒部１３の外径側が切り欠いたように形成される。垂直面１３３は、中央円筒部１３の外径、つまり貫通孔１２の外径に沿って水平面１３４に連続して形成されている。
【００１２】
中央円筒部１３の外径から傾斜面１３２の始点までの距離ｂ（水平面１３４の長さに相当）と、中央円筒部１３の外径から傾斜面の終点までの距離ａ（肉薄部１３０の長さ）は、次のような関係にある。
ｂ＜ａ−ｂ
つまり、肉薄部１３０においては、傾斜面１３２の占有率が水平面１３４よりも大きくなるように形成される。
【００１３】
また、距離ｂは、水平面１３４から第１面（図２において基板１１の上側の面）までの高さＨ１と、第２面から水平面１３４までの高さＨ２とがほぼ同じになるように設定される。実施の形態１では、距離ｂは０．４ｍｍである。これにより、肉薄部１３０の空間を確保しつつ、基板１１の強度を保つことができる。
なお、実施の形態１では、傾斜面１３２は、第２面に平行な水平面１３４に対して約３０度の傾斜となるように構成したが、５度から５５度までの角度であればよい。
【００１４】
［１−１−２．ディスクカートリッジ］
図３は、光ディスク１０が複数枚積み重なった状態で、ディスクカートリッジ１１０（ディスクカートリッジの一例）のケース内に格納される状態を示す図である。ディスクカートリッジ１１０は、複数の光ディスク１０を積層した状態で収納し、後述する情報記録再生装置１００（図５）に装着される。
【００１５】
図４は、積層された光ディスク１０の状態を示し、そのうち上側の光ディスク１０の基板を１１ａ、下側の光ディスク１０の基板を１１ｂとする。実施の形態１の光ディスク１０は、複数枚を直接重ね合わせてディスクカートリッジ１１０に収めることにより、大容量のカートリッジ型の記録媒体として使用される。なお、図４では、説明の容易のために２枚の光ディスクの基板１１ａ、１１ｂを積み重ねているが２枚に限らなくとも良い。
【００１６】
［１−１−３．情報記録再生装置］
図５は、本実施の形態に係る情報記録再生装置１００（情報記録再生装置の一例）の構成を概略的に示す。情報記録再生装置１００は、光ディスク１０に対し情報の記録又は再生を行うための、光ピックアップ駆動装置１０１と、光ピックアップ１０２と、モータ１０４と、ターンテーブル１５０と、クランパ１６０とを備える。情報記録再生装置１００はまた、光ディスク１０に対する情報の記録又は再生を制御する電気回路１０３（電気回路の一例）を備える。情報記録再生装置１００は更に、ディスクカートリッジ１１０から光ディスク１０を取り出す分離アーム１７１と、分離アーム１７１を駆動させるアーム駆動回路１７３とを備える。
【００１７】
光ピックアップ１０２は、光ピックアップ駆動装置１０１により駆動され、光ディスク１０との位置関係に対応して、フォーカス信号やトラッキング信号、ギャップ信号、ＲＦ信号を電気回路１０３へ送る。電気回路１０３はこの信号に対応して、光ピックアップ１０２へ、対物レンズアクチュエータを駆動させるための信号を送る。この信号によって、光ピックアップ１０２は、光ディスク１０に対してフォーカス制御、トラッキング制御、ギャップ制御、チルト制御を行い、情報の読み出し、書き込み又は消去を行う。
【００１８】
ディスクカートリッジ１１０は、上述したように内部に複数の光ディスク１０を積層した状態で格納し、ユーザの操作により情報記録再生装置１００内にセットされる。分離アーム１７１は、アーム駆動回路１７３による制御によりディスクカートリッジ１１０内の光ディスク１０を取り出してターンテーブル１５０にセットするためのトレーに移動させる。取り出した光ディスク１０は、ターンテーブル１５０に装着され上述の通り光ピックアップ１０２による情報の読み書きが可能な状態となる。
【００１９】
［１−２．動作］
図６（ａ）〜図６（ｅ）は、複数枚重ねられた光ディスクの基板１１ａ、１１ｂの分離方法の説明図である。複数枚重ねられた基板は、上述の分離アーム１７１を制御することにより分離可能である。図６（ａ）は積層された基板１１ａ、１１ｂの中央の貫通孔１２に分離アーム１７１が挿入された状態を示す側面図であり、図６（ｂ）は図６（ａ）の状態における分離アーム１７１を上から見た平面図である。図６（ｃ）は積層された基板１１ａ、１１ｂの分離直前の状態を示す側面図であり、図６（ｄ）は図６（ｃ）の状態における分離アーム１７１を上から見た平面図である。図６（ｅ）は積層された基板１１ａ、１１ｂの分離直後の状態を示す側面図であり、図６（ｆ）は図６（ｅ）の状態における分離アーム１７１を上から見た平面図である。
【００２０】
図６（ａ）及び図６（ｂ）において、まず分離アーム１７１が下降し、上側の基板１１ａの貫通孔１２を通過し、下側の基板１１ｂの貫通孔１２を通過する直前で停止する。
続いて図６（ｃ）及び図６（ｄ）において、分離アーム１７１から約９０度間隔で４本の爪１７２が出現し、基板１１ｂの中央の切り欠きである肉薄部１３０によって生じた空間に向かって延びていく。
【００２１】
続いて図６（ｅ）及び図６（ｆ）において、分離アーム１７１が爪１７２を延ばしたまま上昇し、爪１７２が上側の基板１１ａの下側の切り欠きがない面（第２面）に接触する。その後、爪１７２が基板１１ａを支えた状態で、分離アーム１７１と基板１１ａは一体となって上昇する。これにより基板１１ａと基板１１ｂとが分離される。
以上のように、基板中央の肉薄部１３０を利用することで、直接重ねられた基板を分離することが可能になるが、正常に分離を行うためには肉薄部１３０の空間が広いことが重要である。然るに、肉薄部１３０に埃等の異物が溜まる事により爪１７２が上側の基板１１ａを正しい位置で保持できず、分離アーム１７１の動作が不安定になる、あるいは爪１７２が破損する危険性が生じる。
【００２２】
以下、図７を用いて基板１１の肉薄部１３０と異物の関係について説明する。図７は、本実施の形態に係る基板１１と、比較例による基板６１とにおける基板分離状態と基板分離直前状態での異物の挙動の一例を示した図である。基板１１は実施の形態１における基板であり、基板６１は比較例による水平面と斜面の角度が略９０度である基板である。
まず、基板分離状態について説明する。基板分離状態とは、基板が単独で存在している状態であり、例えば分離アーム１７１による光ディスクの移動中や、光ディスクをターンテーブル１５０（図４）に誘導するためのトレーに移動させ分離アーム１７１が光ディスクをターンテーブル１５０に置いた直後や、あるいはディスクカートリッジ１１０から光ディスクを取り出した状態である。なお、重ねられた基板においても一番上の基板については基板分離状態として扱う。
【００２３】
まず、本実施の形態における光ディスク１０の基板１１では、上方から落下してきた異物は基板の傾斜面１３２で跳ね返って基板１１から遠ざかる。或いは、異物は基板１１の傾斜面１３２を転がりながら下降し、さらに傾斜面１３２よりも小さい水平面１３４を転がって基板１１から遠ざかる。すなわち基板１１は傾斜面１３２を有することにより異物が付着しにくいという効果を有する。
【００２４】
一方、比較例による基板６１では、斜面がないため、上方から落下してきた異物はそのまま基板６１に留まりやすくなる。
次に、基板分離直前状態について説明する。基板分離直前状態とは、重ねられた複数枚の基板を分離するために分離アーム１７１から爪１７２が出現し、基板中央の肉薄部内へ延びてきている状態である。
【００２５】
まず、本実施の形態における光ディスク１０の基板１１では、傾斜面１３２上の異物は爪１７２により横方向の力が加わるため、傾斜面１３２を斜め上方に滑り上がっている。
次に比較例による基板６１では、基板上の異物は爪１７２により水平面を奥側に移動するが、異物が奥に溜まったときにはそれ以上移動することができず、ついには爪１７２の移動を止める、あるいは爪１７２が移動する方向がずれる場合がある。
【００２６】
以上の通り、本実施の形態にかかる基板１１は傾斜面１３２を有することにより異物が移動しやすくなり、結果として異物が詰まりにくくなるため、分離作業の支障にならないという効果を有する。また、肉薄部１３０における傾斜面１３２の占有率は水平面１３４よりも大きいため、より一層異物が中央の貫通孔へ落下しやすくなる。
以上のように、光ディスク１０の基板１１の中央の肉薄部１３０に斜面を設けることにより、異物が肉薄部１３０に付着、滞留するのを防止することができる。
【００２７】
［１−３．効果等］
以上のように、本実施の形態に係る光ディスク１０は、基板１１の中央の貫通孔１２の外径側に形成された肉薄部１３０を備え、肉薄部１３０は、水平面１３４と傾斜面１３２とを有し、肉薄部１３０における傾斜面１３２の占有率は水平面１３４よりも大きい。よって、基板１１の内径部、つまり貫通孔１２の周辺に異物が付着したり滞留したりすることを防止することができるため、光ディスクの品質を損なうことを防止できる。
【００２８】
また、本実施の形態に係るディスクカートリッジ１１０は、積層された光ディスク１０を複数格納し、各光ディスク１０は基板１１の中央の貫通孔１２の外径側に形成された肉薄部１３０を備え、肉薄部１３０は、水平面１３４と傾斜面１３２とを有する。よって、ディスクカートリッジ１１０の中で光ディスク１０が重なった状態で使用されても、重ねられた光ディスク１０を正しく分離することが可能になるとともに、光ディスクの品質を損なうことを防止できる。
【００２９】
（実施の形態２）
［２−１．構成］
図８は、実施の形態２の係る光ディスク２０（ディスク状の情報記録媒体の一例）の基板２１（基板の一例）の断面図である。光ディスク２０は、基板２１、貫通孔２２を形成する中央円筒部２３（円筒部の一例）を備える。中央円筒部２３は、実施の形態１と同様に、基板２１の第１面（図８において上側の面）側に、肉薄部２３０（肉薄部の一例）を形成する。本実施の形態に係る光ディスク１０は、基板２１の肉薄部２３０が、水平面２３４（非傾斜面の一例）及び水平面１３４に連続して形成される傾斜面２３２（傾斜面の一例）に加えて、三つの曲率部２３６、２３７、２３８（曲率部の一例）を有する点で異なる。その他の構成は実施の形態１に係る光ディスク１０と同様である。
曲率部２３６は、貫通孔２２の外縁、つまり中央円筒部１３の外径と水平面２３４との間に形成される。曲率部２３７は、水平面２３４と傾斜面２３２との間に形成される。曲率部２３８は、傾斜面２３２と基板２１の第１面に相当する水平面２３９（肉薄部２３０が形成されていない面）との間に形成される。
【００３０】
［２−２．効果等］
以上のように、本実施の形態に係る光ディスク２０は、上記実施の形態１の効果に加え、基板２１の中央に形成された肉薄部２３０が曲率部２３６、２３７、２３８、を有することにより、例えば図７に示す基板分離状態と基板分離直前状態において異物を一層効果的に除去しやすくなる。具体的には、曲率部２３６により、水平面２３４の内径側に付着した異物は水平面２３４から貫通孔２２に滑り落ちやすくなる。また、曲率部２３７により、異物は傾斜面２３２を転がりながら下降し速度を大きく落とすことなく滑らかに水平面２３４に移動した後、水平面２３４を転がって貫通孔２２より落下して基板２１から離脱することができる。更に、曲率部２３８により、分離アーム１７１の爪１７２（図６）の挿入時、異物が傾斜面２３２を斜め上方に滑り上がることにより、滞留した異物が爪１７２の分離動作（図６）の支障とならないようにすることができる。
［２−３．変形例］
なお、上述の曲率部２３６，２３７、２３８は全て形成される必要はなく、そのうちの一つ又は二つの曲率部のみを形成するようにしてもよい。
【００３１】
（実施の形態３）
［３−１．構成］
［３−１−１．光ディスク］
図９は、実施の形態３に係る光ディスク３０（ディスク状の情報記録媒体の一例）の基板３１（基板の一例）の断面図である。光ディスク３０は、基板３１、貫通孔３２を形成する中央円筒部３３（円筒部の一例）を備える。中央円筒部３３は、基板３１の第１面（図９において上側の面）側に、肉薄部３３０（肉薄部の一例）を形成する。肉薄部３３０は、水平面３３４（非傾斜面の一例）と、水平面３３４に連続して形成される傾斜面３３２（傾斜面の一例）とを有する。本実施の形態３に係る光ディスク３０は更に、第１突出部３５（突出部の一例）と、第２突出部３６（突出部の一例）と、凹凸形成領域５１（凹凸形成領域の一例）とを備える点において実施の形態１や２と異なる。
【００３２】
第１突出部３５は、肉薄部３３０の外径側に形成され、基板３１の第１面よりも突出して形成されている。第２突出部３６は、基板３１の第２面（図９において下側の面）の第１突出部３５とは反対側の位置に、第２面よりも突出して形成されている。第２面上においては、第２突出部３６の外径側にカバー層５２が形成される。カバー層５２には、データを記録・再生するためのデータ領域ＤＡ（データ領域の一例）が形成される。
【００３３】
凹凸形成領域５１は、光ディスク３０の基板３１のレーベル面である第１面に形成され、肉薄部３３０及び第１突出部３５よりも外径側に形成される。この凹凸形成領域５１は、例えば、次のような印刷方法によって形成される。
印刷はペーストを用いた一般的な方法によって行う。本実施の形態では、ペーストは、ウレタン樹脂を２５〜３０重量％、およびアクリル系樹脂を７０〜７５重量％含むものを使用する。このペーストをポリエステルのスクリーン版を用い印刷方法によって塗布し、その後ＵＶ照射によって、塗布ペーストを硬化する。
【００３４】
ウレタン樹脂は粒径分布の平均値がおよそ３．５μｍ〜５．０μｍとなるものを用い、これが凹凸形状となる。凹部又は凸部の大きさが５μｍよりも大きくなると、複数の光ディスクを重ねた際に、下側の光ディスク上の凹凸部により上側のディスク記録面に圧痕を生じさせ、光ディスクの記録状態に不具合を及ぼす。また、凹凸部としてＳｉ樹脂を用いた場合、凹凸部が欠落する不具合が生じる可能性ある。このため本実施の形態では凹凸部としてウレタン樹脂を用いる。
【００３５】
また、凹凸形成領域５１は、例えば、基板１１の中心から４５ｍｍまでの範囲において形成されている。
次に、基板３１の第１面であるレーベル面に印字する。本実施の形態では、印字工程についても、印刷方法によって行う。印字の印刷は、顔料を含んだアクリル系樹脂ペーストによって行い、ＵＶ照射によって上記印字した部分を硬化する。なお、凹凸形成領域５１の形成工程と印字工程は前後しても構わない。
【００３６】
以上のように形成された凹凸形成領域５１上には、図９に示すように、所定の半径位置に光ディスク３０のレーベルを印字するための印字領域ＰＡ（印字領域の一例）と、後述するクランパ１６０が当接する領域であるクランプ領域ＣＬＡとが形成される。印字領域ＰＡに印字される情報は、例えば、製造者のロゴや光ディスクの商品名、ディスク容量等その他光ディスクに関する情報等である。
【００３７】
［３−１−２．印字領域の位置］
次に、本実施の形態に係る光ディスク３０において、第１面の凹凸形成領域５１上の印字領域ＰＡと、第２面上のデータ領域ＤＡとの位置関係について説明する。
印字領域ＰＡは、基板３１の第１面上であって上述のように形成された凹凸形成領域５１上に形成される。印字領域ＰＡは更に、基板３１の第２面に形成されるデータ領域ＤＡとは半径位置が重ならないように、データ領域ＤＡよりも内径側に形成される。つまり、印字領域ＰＡは、印字領域ＰＡの最外径位置がデータ領域ＤＡの最内径位置よりも内径側に位置するように形成される。
【００３８】
このように印字領域ＰＡ及びデータ領域ＤＡを形成することにより、複数の光ディスク３０を積層したとき、上側の光ディスク３０の第２面のデータ領域ＤＡが下側の光ディスク３０の第１面上の印字領域ＰＡと重ならない。印字領域ＰＡは、ロゴ等の印字部分が基板３１の第１面上を突出するように形成されるため、上から他の光ディスクを重ねると、他の光ディスクの第２面に密着する。このため、光ディスクの分離作業が困難になるとともに、データ領域ＤＡの損傷の原因にもなっていた。本実施の形態においては、光ディスクが積層された場合、印字領域ＰＡとデータ領域ＤＡとが重ならないように形成されるため、かかる問題を解消することができる。
【００３９】
［３−１−３．第１突出部及び第２突出部の位置］
光ディスク３０の基板３１の第１面上であって上記凹凸形成領域５１よりも内径側には、第１突出部３５が形成されている。第１突出部３５により、複数の光ディスクを積層したとき、光ディスク３０の第１面が上から重ねられた他の光ディスクの第２面に貼り付いてしまうことを防ぐことができる。このため、光ディスクの分離作業が容易にするとともに、張り付きによる他の光ディスクのデータ領域の損傷を防ぐことができる。
【００４０】
また、第２面上であって上記カバー層５２よりも内径側には、第２突出部３６が形成されている。第２突出部３６により、複数の光ディスクを積層する場合において光ディスク３０を他の光ディスク上に重ねたとき、他の光ディスクの第１面が光ディスク３０の第２面に貼り付いてしまうことを防ぐことができる。このため、光ディスクの分離作業が容易にするとともに、貼りつきによる光ディスク３０のデータ領域の損傷を防ぐことができる。
【００４１】
なお、本実施の形態においては、光ディスク３０の基板３１は第１突出部３５及び第２突出部３６を双方とも形成しているが、いずれか一方のみを形成するようにしてもよい。
また、第１突出部３５及び第２突出部３６の双方を形成する場合は、いずれか一方の突出部を他方の突出部よりも鋭角に形成し、他方の突出部の上面を平らに形成することにより、基板間の分離が一層容易に行うことができると共に、光ディスクを安定的に積層することができる。図９の例では、第１突出部３５の上面は平らに形成され、第２突出部３６は第１突出部３５よりも鋭角に突出するよう形成されている。
【００４２】
［３−１−４．クランプ領域の位置］
次に、本実施の形態に係る光ディスク３０において、第１面の凹凸形成領域５１上のクランプ領域ＣＬＡと、印字領域ＰＡとの位置関係について説明する。
クランプ領域ＣＬＡは、基板３１の第１面上であって上述のように形成された凹凸形成領域５１上に形成されるが、印字領域ＰＡとは重ならないように形成される。つまり、クランプ領域ＣＬＡの最外径位置は、図９に示すように、印字領域ＰＡの最内径位置よりも内径側に位置するように形成される。
【００４３】
なお、クランプ領域ＣＬＡの最内径位置は、凹凸形成領域５１の最内径位置と同じ、或いは凹凸形成領域５１の最内径位置よりも外径側に位置するように形成される。
クランプ領域ＣＬＡを以上のような位置に形成することにより以下のような効果がある。
図１０は、情報記録再生装置１００のクランパ１６０（図５）の概略的な構成を示す。図１０（ａ）はクランパ１６０の平面図であり、図１０（ｂ）はクランパ１６０の断面図である。図１０（ａ）及び図１０（ｂ）に示すように、クランパ１６０は、突起部１６１と金属部１６２と有する。
【００４４】
図１１は、情報記録再生装置１００のターンテーブル１５０（図５）の概略的な構成を示す。同図に示すように、ターンテーブル１５０は、光ディスクの中央円筒部を保持するための中央突出部１５１と、同中央突出部１５１の上部に設けられたマグネット部１５２とを有する。
情報の記録・再生動作時には、光ディスク３０は、ターンテーブル１５０上に移動させた後、中央の貫通孔３２をターンテーブル１５０の中央突出部１５１に挿通させて、ターンテーブル１５０上に光ディスク３０を載置する。そして、光ディスク３０は上方からのクランパ１６０とターンテーブル１５０との間で挟持される。このとき、クランパ１６０の金属部１６２とターンテーブル１５０のマグネット部１５２とが接着することにより光ディスク３０の位置が固定される。モータ１０４によりターンテーブル１５０を回転させつつ、光ディスク３０に対する情報の記録・再生が行われる。
【００４５】
このとき、クランパ１６０の突起部１６１は、光ディスク３０の円筒部３３の外径側に設けられたクランプ領域ＣＬＡに当接する。また、上述の通り、光ディスク３０の円筒部３３の外径側には印字領域ＰＡも形成されている。
図１２は、印字領域ＰＡとクランプ領域ＣＬＡが重複して形成されている光ディスク３０’の例を示す。図１２（ａ）は、中央の貫通孔３２’を形成する中央円筒部３３’の外径側に印字領域ＰＡ’が形成され、同印字領域ＰＡ’がクランプ領域ＣＬＡでもある光ディスク３０’の平面図である。図１２（ｂ）は、図１２（ａ）の光ディスク３０’をターンテーブル１５０上でクランパ１６０により把持したときの状態を示す。同図に示すように、印字領域ＰＡは印字した部分が他の箇所に比して光ディスク３０’の第１面より盛り上がっているため、クランパ１６０の突起部１６１が印字部分に当接するとクランパ１６０が浮き上がってしまい、ターンテーブル１５０上の光ディスクの位置が不安定になる。
【００４６】
図１３は、本実施の形態に係る光ディスク３０の例を示す。図１３（ａ）は、中央の貫通孔３２を形成する中央円筒部３３の外径側にクランプ領域ＣＬＡが形成され、その外径側に印字領域ＰＡが重ならないように形成された光ディスク３０の平面図である。図１３（ｂ）は、図１３（ａ）の光ディスク３０をターンテーブル１５０上でクランパ１６０により把持したときの状態を示す。同図に示すように、クランプ領域ＣＬＡは印字領域ＰＡよりも内径側に重ならないように形成されている。よって、印字領域ＰＡによりクランパ１６０が浮き上がってしまうことはなく、ターンテーブル１５０上の光ディスク３０の位置を安定させることができる。
なお、クランプ領域ＣＬＡは、クランパ１６０の突起部１６１が当接する光ディスク３０における領域としてもよいし、図１３（ｂ）に示すように、クランパ１６０の突起部１６１だけでなく突起部１６１が形成されているクランパ１６０の下面１６０ａに相対する光ディスク３０の領域全てをクランプ領域ＣＬＡとしてもよい。
【００４７】
［３−２．効果等］
以上のように、本実施の形態に係る光ディスク３０は、上記実施の形態１及び２の効果に加え、基板３１の第１面側において、中央に形成された肉薄部３３０の外径側に凹凸形成領域５１を形成しているため、複数の光ディスク３０を積層しても、光ディスク同士の貼り付きが緩和され、光ディスクの分離が容易になる。
【００４８】
また、本実施の形態に係る光ディスク３０は、基板３１の第２面側に形成されたデータ領域ＤＡと、第１面側の凹凸形成領域５１に形成され、前記データ領域と半径位置が重ならないように形成され印字領域ＰＡとを有する。これにより、複数の光ディスク３０を積層しても、上側の光ディスク３０のデータ領域と下側の光ディスク３０の印字領域ＰＡとが接触しないため、光ディスクの分離が容易になるとともに、凹凸形成領域５１が密着することによるデータ領域ＤＡの損傷を防ぐことができる。
更に、本実施の形態に係る光ディスク３０は、基板３１の第１面側において、印字領域ＰＡと重ならないように形成されたクランプ領域ＣＬＡを有するため、光ディスク３０を情報記録再生装置１００に安定した状態でセットすることができる。
【００４９】
［３−３．変形例］
クランプ領域ＣＬＡは、クランパの形態に応じて、印字領域ＰＡと重ならないように印字領域ＰＡの外径側に形成されるようにしてもよい。
【００５０】
（その他実施の形態）
（１）
上記実施の形態にかかる光ディスクにおいては、基板中央に形成された肉薄部において傾斜面の占有率が水平面よりも大きくなるように形成されているが、傾斜面の占有率が水平面と同じ或いは小さくてもよい。
【００５１】
（２）
上記実施の形態にかかる光ディスクにおける基板中央に形成された肉薄部は、上記の形態に限定されない。例えば、次のような形態であっても上記実施の形態と同様の効果が得られる。
図１４（ａ）の断面図に示すにように、基板４４１の中央に形成された肉薄部４３０は、所定の角度で傾斜する傾斜面４３２（傾斜面の一例）と、傾斜面４３２の内径側に連続して形成され、中央円筒部４４３の外径、つまり貫通孔４４２の外径に沿って形成された垂直面４３３（非傾斜面の一例）とから構成されていてもよい。
【００５２】
また、図１４（ｂ）の断面図に示すように、基板５５１の中央に形成された肉薄部５３０は、異なる角度で傾斜する傾斜面５３２ａ，５３２ｂ（傾斜面の一例）と、傾斜面５３２ａの内径側に連続して形成され、中央円筒部５５３の外径、つまり貫通孔５５２の外径に沿って形成された垂直面５３３（非傾斜面の一例）とから構成されていてもよい。
或いは、図１４（ｃ）の断面図に示すように、基板６６１の中央に形成された肉薄部６３０は、所定の角度で傾斜する傾斜面６３２（傾斜面の一例）と、傾斜面６３２の内径側に連続して形成され、中央円筒部６６３の外径、つまり貫通孔６６２の外径に沿って形成された垂直面６３３（非傾斜面の一例）と、傾斜面６３２の外径側に連続して形成され基板６６１の第１面まで垂直に形成された垂直面６３５（非傾斜面の一例）とから構成されていてもよい。
【００５３】
（３）
上記実施の形態においては、光ディスクの基板中央の第１面側において基板の厚みが薄くなる肉薄部を示した。しかし、これに限らず、第２面側において基板の厚みが薄くなる肉薄部の形態であっても、上記実施の形態と同様の効果は期待できる。更に、図１４（ｄ）の断面図に示すように、基板７６１の中央において、基板７６１の両面側に傾斜面７３２ａ、７３２ｂや非傾斜面７３４ａ、７３４ｂをそれぞれ形成した肉薄部７３０を形成し、基板７６１の厚み方向の中心部分に形成され肉薄部７３０の内径に相当する垂直面７３３によって貫通孔７６２を形成した両面タイプの光ディスクであっても、上記実施の形態と同様の効果は期待できる。
【００５４】
（４）
上記実施の形態においては、ディスク状の情報記録媒体の例として光ディスクを例に挙げたが、これに限定されない。例えば、光磁気ディスクやその他磁気ディスク等、ディスク状の情報記録媒体であれば適用可能である。
【００５５】
（５）
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施の形態は、本開示における技術を例示するためのものであるから、特許請求の範囲またはその均等の範囲において種々の変更、置き換え、付加、省略などを行うことができる。
【産業上の利用可能性】
【００５７】
本開示は、ディスク状の情報記録媒体およびその情報記録再生装置として適用可能である。
【符号の説明】
【００５８】
１０，２０，３０              光ディスク
１１，２１，３１              基板
１１ａ                        基板
１１ｂ                        基板
１２，２２，３２              貫通孔
１３，２３，３３              中央円筒部
１００                        情報記録再生装置
１０１                        光ピックアップ駆動装置
１０２                        光ピックアップ
１０３                        電気回路
１０４                        モータ
１１０                        ディスクカートリッジ
１３０，２３０，３３０        肉薄部
１３２，２３２，３３２        傾斜面
１３３                        垂直面
１３４，２３４，３３４        水平面
１５０                        ターンテーブル
１６０                        クランパ
１７１                        分離アーム
【図１】
2014053067.tif 000003
【図２】
2014053067.tif 000004
【図３】
2014053067.tif 000005
【図４】
2014053067.tif 000006
【図５】
2014053067.tif 000007
【図６】
2014053067.tif 000008
【図７】
2014053067.tif 000009
【図８】
2014053067.tif 000010
【図９】
2014053067.tif 000011
【図１０】
2014053067.tif 000012
【図１１】
2014053067.tif 000013
【図１２】
2014053067.tif 000014
【図１３】
2014053067.tif 000015
【図１４】
2014053067.tif 000016
【図１５】
2014053067.tif 000017